(57)【要約】【課題】緑を感じながら休憩できるとともに樹木の倒木を防止できて、設置や維持管理が容易な緑化ベンチを提供する。【解決手段】地盤１３に支持され樹木１２の幹１２ａを囲繞する壁部（支柱部）２と、壁部２の周囲の少なくとも一部に設けられた着座部３と、を備える。壁部２は、上端部２ａが着座部３の座板３１の上面（座面）３１ａの高さよりも上方に位置していて、座板３１の上面３１ａよりも上側の部分が背もたれとなる。着座部３は、内部３ａが中空に形成されるとともに、内部３ａと外部とを連通する連通孔３３が形成され、着座部３の内部３ａには、植物５が植栽された緑化基盤４と、植物５への潅水をおこなう潅水部６と、が設けられている。【選択図】図２
2015198607.tif 000002
【特許請求の範囲】
【請求項１】
地盤に支持され樹木の幹を囲繞する支柱部と、
支柱部の周囲の少なくとも一部に設けられた着座部と、を備えることを特徴とする緑化ベンチ。
【請求項２】
前記支柱部は、上端部が前記着座部の座面の高さよりも上方に位置していて、前記座面よりも上側の部分が背もたれとなることを特徴とする請求項１に記載の緑化ベンチ。
【請求項３】
前記着座部は、内部が中空に形成されるとともに、内部と外部とを連通する連通孔が形成され、
前記着座部の内部には、植物が植栽された緑化基盤と、前記植物への潅水をおこなう潅水部と、が設けられていることを特徴とする請求項１または２に記載の緑化ベンチ。
【請求項４】
前記着座部の内部の空気を前記着座部の外部に送風する送風ファンが設けられていることを特徴とする請求項３に記載の緑化ベンチ。
【請求項５】
前記支柱部には、太陽光発電パネルが設けられていることを特徴とする請求項１乃至４のいずれか一項に記載の緑化ベンチ。
【請求項６】
前記支柱部および前記着座部は、それぞれ分割された複数の部材から構成されていることを特徴とする請求項１乃至５のいずれか一項に記載の緑化ベンチ。
【発明の詳細な説明】
【技術分野】
【０００１】
本発明は、緑を感じることができるとともに、樹木の倒木を防止できる緑化ベンチに関する。
【背景技術】
【０００２】
従来、健康維持や健康増進を目的として、散歩やジョギングなどに取り組む人が増加しており、これらの人が休憩するための休憩スペースとなる公園のベンチや芝生は、使用者が緑を感じながら快適な休憩をとることが可能である。
しかし、道路沿いなどでは、このような休憩スペースを見つけることが難しいため、道路沿いなどにおいても緑を感じることができるベンチなどの設置が望まれている。
【０００３】
緑を感じることができるベンチとしては、例えば、特許文献１に開示されているような、緑化基盤に芝が植えつけられた緑化体が箱体の内部に収納され、緑化体の上面に着座可能なものが知られている。また、特許文献２に開示されているような、側部に連通孔が設けられた複数のプランターが連結され、一部のプランターには植物が植栽され、その他のプランターには上部に座板が設置され、座板の上面に着座可能なものも知られている。
【０００４】
ところで、維持管理上の問題や台風などの強風の影響で街路樹の倒木が発生している。また、埋め立て地などの軟弱地盤の地域では、街路樹の倒木が危惧されている。
このような街路樹などの樹木の倒木を防止するためには、例えば、特許文献１に開示されているように、樹木の根鉢をシートやバンドで固定したり、特許文献２に開示されているように、樹木の幹の下部側を支持可能な樹木用支柱を設けたりしている。
【先行技術文献】
【特許文献】
【０００５】
【特許文献１】特開２００５−６５６３７号公報
【特許文献２】特開２００７−２７４９７７号公報
【特許文献３】実開平５−６８２５５号公報
【特許文献４】特開２０１０−１２４７４９号公報
【発明の概要】
【発明が解決しようとする課題】
【０００６】
しかしながら、特許文献１に開示されたようなベンチでは、使用者が芝の上に直接座ることにより、芝が直接被圧され傷みやすいとともに、芝への潅水を行う必要があるため維持管理に手間がかかるという問題がある。
また、特許文献２に開示されたようなベンチでは、座板が設置されたプランターが多いとあまり緑を感じることはできないという問題がある。更に、プランターに収容可能な土量が限られるため、植栽される植物の種類や大きさが限定されてしまうという問題がある。
【０００７】
また、特許文献３に開示されたような樹木の倒木を防止する技術では、シートやバンドを地下に設置するため、掘削が必要であり、設置に手間がかかるという問題がある。また、適用可能な樹木が、根巻などの処理がされた樹木に限定されてしまうという問題がある。
また、特許文献４に開示されたような樹木の倒木を防止する技術では、樹木の根を傷めないように留意して樹木用支柱を設置する必要があり、設置に手間がかかるという問題がある。
【０００８】
そこで本発明は、緑を感じながら休憩できるとともに樹木の倒木を防止できて、設置や維持管理が容易な緑化ベンチを提供することを目的とする。
【課題を解決するための手段】
【０００９】
上記目的を達成するため、本発明に係る緑化ベンチは、地盤に支持され樹木の幹を囲繞する支柱部と、支柱部の周囲の少なくとも一部に設けられた着座部と、を備えることを特徴とする。
【００１０】
本発明では、地盤に支持され樹木の幹を囲繞する支柱部を備えることにより、この支柱部が支えとなって樹木の倒木を防止することができる。
また、着座部を備えることにより、着座部の座面に座った使用者が、樹木を観賞して緑を感じながら快適に休憩することができる。
さらに、支柱部や着座部が樹木と干渉することがないため、設置や維持管理を容易に行うことができる。また、樹木の種類にかかわらず、緑化ベンチを設置することができる。
【００１１】
また、本発明に係る緑化ベンチでは、前記支柱部は、上端部が前記着座部の座面の高さよりも上方に位置していて、前記座面よりも上側の部分が背もたれとなる構成としてもよい。
このような構成とすることにより、着座部の座面に座った使用者が、背もたれを利用してより快適に休憩することができる。
また、支柱部の一部を背もたれとして利用できるため、支柱部とは別に背もたれを設置する場合と比べて、緑化ベンチを簡便な構造とすることができ、設置や維持管理を容易に行うことができる。
【００１２】
また、本発明に係る緑化ベンチでは、前記着座部は、内部が中空に形成されるとともに、内部と外部とを連通する連通孔が形成され、前記着座部の内部には、植物が植栽された緑化基盤と、前記植物への潅水をおこなう潅水部と、が設けられていることが好ましい。
このような構成とすることにより、着座部の内側の植物を連通孔から観賞しながら着座部に着座することができる。また、潅水部を有することにより、維持管理を容易に行うことができる。
【００１３】
また、本発明に係る緑化ベンチでは、前記着座部の内部の空気を前記着座部の外部に送風する送風ファンが設けられていることが好ましい。
このような構成とすることにより、植物によって冷却された涼しい風を着座部へ座った使用者や、緑化ベンチの周囲にいる使用者に送風することができる。
【００１４】
また、本発明に係る緑化ベンチでは、前記支柱部には、太陽光発電パネルが設けられていることが好ましい。
このような構成とすることにより、緑化ベンチに太陽光発電パネルによる発電機能を付与することができる。また、例えば、送風ファンが設けられている場合は、この発電による電力を送風ファンに使用することができる。また、太陽光パネルを非常用の電源として使用することができる。
【００１５】
また、本発明に係る緑化ベンチでは、前記支柱部および前記着座部は、それぞれ分割された複数の部材から構成されていることが好ましい。
このような構成とすることにより、緑化ベンチを樹木の周囲に設置の際には、複数の部材を連結させればよいため、緑化ベンチの運搬や設置を容易に行うことができる。
【発明の効果】
【００１６】
本発明によれば、地盤に支持され樹木の幹を囲繞する支柱部を備えることにより、この支柱部が支えとなって樹木の倒木を防止することができる。
また、着座部を備えるとともに、支柱部の上側の部分が背もたれとなることにより、着座部の座面に座った使用者が、樹木を観賞して緑を感じながら快適に休憩することができる。
さらに、支柱部や着座部が樹木と干渉することがないため、設置や維持管理を容易に行うことができる。
【図面の簡単な説明】
【００１７】
【図１】（ａ）は本発明の実施形態による緑化ベンチの一例を示す平面図、（ｂ）は、緑化ベンチを構成する分割壁部、分割着座部を説明する図である。
【図２】本発明の実施形態による緑化ベンチの一例を示す北側から見た正面図である。
【図３】本発明の実施形態による緑化ベンチの一例を示す西側から見た側面図である。
【図４】着座部の内部を説明する図で図１のＡ−Ａ線断面図である。
【発明を実施するための形態】
【００１８】
以下、本発明の実施形態による緑化ベンチについて、図１乃至図４に基づいて説明する。
図１乃至図３に示すように、本実施形態による緑化ベンチ１は、道路１１に沿って植えられた街路樹の樹木１２の周囲に設置されていて、樹木１２の周囲の地盤１３に立設する壁部（支柱部）２と、壁部２と連続して設けられて使用者１４（図１（ａ）および図２参照）が着座可能な着座部３と、を備えている。また、着座部３は、内部３ａが中空に形成されていて、この内部３ａには、植物５が植栽された緑化基盤４と、植物５への潅水可能な潅水部６と、着座部３の内部３ａの空気を着座部３の外部に送風する送風ファン７と、が設けられている。
本実施形態では、道路１１が東西方向に延び、車道１１ａの北側に歩道１１ｂが設けられている。そして、歩道１１ｂの車道１１ａとの境界１１ｃ近傍に街路樹の樹木１２が植えられているものとして以下説明する。
【００１９】
壁部２は、１本の樹木１２の幹１２ａの外周面と間隔をあけて樹木１２の幹１２ａを囲繞する鉛直方向に延在する筒体に形成されている。図２および図３に示すように、壁部２は、上端部２ａが樹木１２の幹１２ａの高さの中間部に達していて、下端部２ｂが地盤面１３ａと当接している。そして、本実施形態では、壁部２は、下部側２ｃが垂直に立設し、上部側２ｄが上側に向かって漸次樹木１２に近づく側に傾斜している。
また、図１（ａ）に示すように、壁部２は、平面視形状が略長方形となるように形成されていて、外周面２ｅが、東西南北の四方を向く４面から構成されている。
【００２０】
また、壁部２には、外周面２ｅのうちの南側の上方を向く面２ｆに、太陽光パネル８が設置されている。本実施形態では、道路１１側の面の上部側２ｄに太陽光パネル８が設置されている。
また、この太陽光パネル８の付帯設備（不図示）は、壁部２の近傍や、着座部３の内部３ａなどに設置されている。なお、太陽光パネル８の付帯設備として蓄電池が設置されていてもよい。
【００２１】
また、図１（ｂ）に示すように、壁部２は、東側、西側に位置する平面視略Ｃ字状の２つの分割壁部２Ａ，２Ｂが連結されて、筒体となるように構成されている。壁部２は、樹木１２の周囲に設置される前は、２つの分割壁部２Ａ，２Ｂに分割された状態で保管されたり運搬されたりしている。
【００２２】
図１乃至図３に示すように、着座部３は、座板３１と、座板３１を支持する脚部３２と、を有していて、壁部２の外周面２ｅと連続して設置されている。図２に示すように、座板３１は、壁部２の高さの中間部に位置していて、使用者１４が座板３１の上面（座面）３１ａに座ると、壁部２の上部側２ｄを背もたれとして使用可能に構成されている。
また、本実施形態では、着座部３は、壁部２の南側（道路１１側）以外に連続して設置されていて、平面視略Ｃ字状に形成されている。
【００２３】
また、着座部３の内部３ａは、座板３１の下側で脚部３２の壁部２側となる空間に相当している。そして、座板３１および脚部３２は、網目やスリット、孔部などの連通孔３３が複数の形成された板材で構成されていて、着座部３の内部３ａと外部とが連通孔３３を通して連通可能に構成されている。
【００２４】
また、図１（ｂ）に示すように、着座部３は、東側、西側に位置する平面視略Ｌ字状の２つの分割着座部３Ａ，３Ｂが連結されて、平面視略Ｃ字状となるように構成されている。着座部３においても壁部２と同様に、樹木１２の周囲に設置される前は、２つの分割着座部３Ａ，３Ｂに分割された状態で保管されたり運搬されたりしている。
なお、本実施形態では、２つの分割着座部３Ａ，３Ｂ、２つの分割壁部２Ａ，２Ｂのうちの東側に配置される分割着座部３Ａと、東側に配置される分割壁部２Ａとが樹木１２の周囲に設置される前に予め連結されていて、西側に配置される分割着座部３Ｂと、西側に配置される分割壁部２Ｂとが樹木１２の周囲に設置される前に予め連結されている。
【００２５】
図１に示すように、緑化基盤４は、例えば、固化培土や改良土などを材料として形成され、植物５を育成させるための保水性と保肥性を有する基盤材で構成されている。緑化基盤４は、必要に応じて支持板（不図示）に支持されたり、植物５が植栽される側（本実施形態では上側）が開口した箱体（不図示）に収容されたりしている。
緑化基盤４に植栽される植物５としては、例えばタマリュウなどが挙げられ、緑化基盤４に直接、または植生マットなどを用いて植栽されている。
【００２６】
潅水部６は、緑化基盤４の下方に設けられた貯水槽６１と、上端部６２ａ側が緑化基盤４に接続されるとともに下端部６２ｂ側が貯水槽６１の内部の水中に浸される給水棒６２と、を備えている。
貯水槽６１は、雨水を貯水可能であるとともに、外部から給水可能に構成されている。
【００２７】
送風ファン７は、着座部３の内部３ａの空気を、座板３１や脚部３２の連通孔３３から外部へ送風するように構成されている。送風ファン７は、タイマーなどによって定時に稼働するように構成されていてもよいし、スイッチなどを設けて緑化ベンチの使用者または管理者が必要時に可動できるように構成されていてもよい。
本実施形態では、送風ファン７は、太陽光パネル８で発電された電力で稼働するように構成されている。
【００２８】
次に、上述した緑化ベンチ１の設置方法について説明する。
まず、図１（ｂ）に示す２つの分割壁部２Ａ，２Ｂおよび２つの分割着座部３Ａ，３Ｂを準備し、樹木１２の東側に配置される分割壁部２Ａと分割着座部３Ａとを連結し、樹木１２の西側に配置される分割壁部２Ｂと分割着座部３Ｂとを連結する。
また、分割壁部２Ａ，２Ｂと分割着座部３Ａ，３Ｂとの連結と前後して、緑化基盤４に植物５を植栽する。
続いて、２つの分割着座部３Ａ，３Ｂの内部３ａに、図４に示すように、植物５が植栽された緑化基盤４、潅水部６、送風ファン７を設置する。
【００２９】
続いて、図１（ａ）に示すように、樹木１２の東側に配置される分割壁部２Ａおよび分割着座部３Ａと、樹木１２の西側に配置される分割壁部２Ｂおよび分割着座部３Ｂとを、樹木１２を囲繞するように連結する。
続いて、壁部２の南側上方を向く外周面２ｅに太陽光パネル８を設置して、太陽光発電が可能となるように付帯設備を設置する。本実施形態では、太陽光発電の蓄電池を設置し、この蓄電池から送風ファン７へ電源を供給可能となるように配線を行う。
続いて、必要に応じて貯水槽６１へ給水を行う。
【００３０】
次に、上述した緑化ベンチの作用・効果について図面を用いて説明する。
上述した本実施形態による緑化ベンチ１によれば、地盤１３に支持され樹木１２の幹１２ａを囲繞する壁部２を備えることにより、この壁部２が支えとなって樹木１２の倒木を防止することができる。
また、使用者１４が樹木１２の周囲の着座部３に座ることができるため、樹木１２を観賞して緑を感じながら快適に休憩することができる。本実施形態では、街路樹の樹木１２を利用しているため、新たに樹木１２を設置する必要がなく、設置コストを抑えることができる。
さらに、壁部２の上部側２ｄが着座部３に座った使用者１４の背もたれとなるため、より快適に休憩することができる。
【００３１】
また、着座部３の座板３１や脚部３２に連通孔３３が形成されていて、着座部３の内部３ａには、植物５が植栽された緑化基盤４と、植物５への潅水をおこなう潅水部６と、が設けられていることにより、着座部３の内側の植物５を観賞して緑を感じながら快適に休憩することができる。
また、植物５は、着座部３の内部３ａに設けられていることにより、使用者１４によって直接被圧されることがないため、植物５が傷むことがなく維持管理を容易に行うことができる。また、着座部３の内部３ａに植物５が植栽された緑化基盤４や植物５に潅水を行う潅水部６が設けられているため、潅水により、着座部３の座板３１や壁部２の背もたれ部分が濡れることがない。
【００３２】
また、着座部３の座板３１や脚部３２に連通孔３３が形成されていることにより、連通孔３３を通して雨水を貯水槽や緑化基盤４（植物５）に取り込むことができる。
また、着座部３の内部３ａに送風ファン７が設けられていることにより、植物５によって冷却された涼しい風を着座部３へ座った使用者１４や、緑化ベンチ１の周囲にいる使用者に送風することができる。
【００３３】
また、壁部２や着座部３が樹木１２と干渉しないため、樹木１２の種類が限定されないとともに、緑化ベンチ１の設置や維持管理を容易に行うことができる。
さらに、潅水部６が設けられていることにより、緑化基盤４に植栽された植物５の維持管理を容易に行うことができる。
また、壁部２に太陽光発電パネルが設けられていることにより、緑化ベンチ１に太陽光発電パネルによる発電機能を付与することができ、この発電による電力を送風ファン７に使用することができる。また、非常用の電源として使用することもできる。
【００３４】
また、壁部２および着座部３は、２つの分割壁部２Ａ，２Ｂおよび２つの分割着座部３Ａ，３Ｂをから構成されていることにより、緑化ベンチ１の運搬や保管、設置を容易に行うことができる。
【００３５】
以上、本発明による緑化ベンチの実施形態について説明したが、本発明は上記の実施形態に限定されるものではなく、その趣旨を逸脱しない範囲で適宜変更可能である。
例えば、上記の実施形態では、壁部２は、平面視形状が略長方形に形成されているが、樹木１２の倒木を防止できるように支持可能であれば、例えば、樹木１２の囲繞する円筒状など他の形状に形成されていてもよい。
また、壁部２に代わって、樹木１２を囲繞する様に設けられた複数の柱体などが設けられていてもよい。この場合は、柱体の上部側を着座部３に座った使用者１４の背もたれとすることが好ましい。
【００３６】
また、上記の実施形態では、街路樹の樹木１２の周囲に緑化ベンチ１を設けているが、街路樹以外の樹木１２の周囲に設けられていてもよい。
また、本実施形態では、着座部３は、壁部２の南側（道路１１側）以外に連続して設置され、平面視略Ｃ字状に形成されているが、壁部２の周囲全体に設置されていてもよいし、壁部２の周囲に周方向へ間隔をあけて複数設けられていてもよく、平面視形状も略Ｃ字状以外に形成されていてもよい。また、着座部３は、壁部２と間隔をあけて設けられていてもよく、着座部３と壁部２とは、連結されていても連結されていなくてもよい。
また、上記の実施形態では、着座部３に座った使用者１４が、壁部２の上部側２ｄを背もたれとして使用可能に構成されているが、このように構成されていなくてもよい。
【００３７】
また、上記の実施形態では、着座部３の内部３ａに植物５が植栽された緑化基盤４と、潅水部６と送風ファン７が設けられているが、これらが設けられていなくてもよく、これらの１つ以上が設けられていてもよい。また、着座部３の内部３ａにこれらが設けられていない場合、着座部３に連通孔３３が形成されていなくてもよい。
また、上記の実施形態では、緑化基盤４に植物５が植栽されているが、植物５が地盤１３の土壌に直接植栽されていてもよい。
また、上記の実施形態では、潅水部６は、貯水層６１と給水棒６２とを備える形態であるが、植物５へ潅水可能であれば、これ以外の形態であってもよい。
【００３８】
また、上記の実施形態では、太陽光パネル８が設けられているが、設けられていなくてもよい。
また、上記の実施形態では、壁部２と着座部３とがそれぞれ２つの分割壁部２Ａ，２Ｂと２つの分割着座部３Ａ，３Ｂとから構成されているが、３つ以上の分割壁部や分割着座部から構成されていてもよい。また、壁部２や着座部３は、分割壁部２Ａ，２Ｂや分割着座部３Ａ，３Ｂのような複数のユニットを連結する形態でなく、現場にて組み立てる形態であってもよい。
【符号の説明】
【００３９】
１  緑化ベンチ
２  壁部（支柱部）
２Ａ，２Ｂ  分割壁部
３  着座部
３Ａ，３Ｂ  分割着座部
３ａ  内部
４  緑化基盤
５  植物
６  潅水部
７  送風ファン
８  太陽光パネル
１２  樹木
１２ａ  幹
１３  地盤
１４  使用者
３１  座板
３１ａ  上面（座面）
【図１】
2015198607.tif 000003
【図２】
2015198607.tif 000004
【図３】
2015198607.tif 000005
【図４】
2015198607.tif 000006